(57)【特許請求の範囲】
【請求項１】
交流電源から直流電圧を得る少なくともスイッチング素子とリアクタとダイオードからなる交流直流変換回路と、交流電源の電流値を検出する電流検出手段と、交流電源の電圧値を検出する入力電圧検出手段と、前記交流直流変換回路が出力する直流電圧値を検出する直流電圧検出手段と、前記電流検出手段と前記入力電圧検出手段と前記直流電圧検出手段で得られる各値に基づき力率改善を行い且つ、直流電圧値を予め設定された目標値になるように前記スイッチング素子の動作を制御するスイッチング動作制御手段とを備え、前記スイッチング動作制御手段は、前記直流電圧検出手段で得られる直流電圧値を平滑するローパスフィルタを有し、このローパスフィルタのカットオフ周波数を、負荷が所定値以上の時には、負荷が前記所定値より小さい時より低く設定するように可変してなる電源装置。
【請求項２】
スイッチング動作制御手段のローパスフィルタは、そのカットオフ周波数を、電流検出手段で得られる電流値対カットオフ周波数特性によって可変にしてなる請求項１記載の電源装置。
【請求項３】
スイッチング動作制御手段は、ローパスフィルタにより平滑された直流電圧値と直流電圧の目標値との電圧差分値を演算する電圧比較手段を有し、前記ローパスフィルタはそのカットオフ周波数を、前記電圧比較手段で得られる電圧差分値対カットオフ周波数特性によって可変にしてなる請求項１記載の電源装置。
【請求項４】
スイッチング動作制御手段は、ローパスフィルタにより平滑された直流電圧値と直流電圧の目標値との電圧差分値を演算する電圧比較手段と、この電圧比較手段で得られる電圧差分値に入力電圧検出手段で得られる電圧値を乗じて目標電流値を演算する目標電流演算手段とを有し、前記ローパスフィルタはそのカットオフ周波数を、前記目標電流演算手段で得られる目標電流値対カットオフ周波数特性によって可変にしてなる請求項１記載の電源装置。
【請求項５】
スイッチング動作制御手段は、マイクロコンピュータを用いて形成してなる請求項１〜４のいずれか１項に記載の電源装置。
【請求項６】
スイッチング動作制御手段は、ＤＳＰを用いて形成してなる請求項１〜４のいずれか１項に記載の電源装置。
【発明の詳細な説明】
【０００１】
【発明の属する技術分野】
本発明は、産業用や民生用の電子機器へ安定化した直流電圧を供給する電源装置に関するものである。
【０００２】
【従来の技術】
近年、家電機器や産業機器の普及に伴い電力系統に高調波電流が流入し、各種機器の加熱、誤動作などの問題が発生するようになった。これらの問題に対して各種機器には高調波対策が求められ、それに伴い機器内の電源装置には、リアクタとスイッチング素子の動作によるエネルギー蓄積効果を利用し、力率を改善しながら出力電圧を昇圧する交流直流変換回路が用いられるようになった。
【０００３】
この交流直流変換回路における制御では、特開昭５９−１９８８７３号公報に記載されているように、直流電圧値とその目標値との電圧差分値に交流電圧信号を乗算して得られる値に応じてスイッチング素子の導通比を決定し、力率改善を行っている。このような装置の回路構成は図１０に示される通りである。
【０００４】
すなわち、交流電源１の出力をダイオードブリッジによる整流回路２で整流し、その整流電圧をリアクタ３を介してスイッチング素子４によりスイッチングし、前記スイッチング素子４の両端電圧をダイオード５を介して平滑用コンデンサ６により平滑して負荷７に直流電圧を供給するものである。そして、この時のスイッチング素子４の動作はスイッチング動作制御手段１１によって制御され、その制御の流れは次の通りである。
【０００５】
まず、直流電圧検出手段１０で得られた直流電圧値はローパスフィルタ１１０により平滑化された値となる。この値と目標電圧演算手段１１１で得られる直流電圧の目標値との電圧差分値が電圧比較手段１１２によって求める。一方、目標電流演算手段１１３では、前記電圧差分値と入力電圧検出手段９で得られる電圧値を乗算することにより目標電流値を求めている。この目標電流演算手段１１３で演算された目標電流値と電流検出手段８で得られる電流値との差を電流比較手段１１４で求め、この差に応じてスイッチング素子４の導通比がＰＷＭデューティ演算手段１１５で決定され、前記導通比でスイッチング素子４がスイッチングされる。
【０００６】
このような交流直流変換回路は、その出力端に接続された負荷が大きくなると、図１１に示すような直流電圧波形１４に交流電源の電圧波形１３の２倍の周波数のリップルが発生するため、電圧差分値を演算する際の直流電圧値には図１２に示すような通常、応答速度の遅い（カットオフ周波数１Ｈｚ程度）ローパスフィルタ１１０を通した値を用いるのが一般的である。
【０００７】
【発明が解決しようとする課題】
しかしながら、上記従来例の制御構成では交流直流変換回路の出力端に接続された負荷が小さい軽負荷時において直流電圧が上昇した場合、応答速度の遅いローパスフィルタを通した直流電圧値に対して目標値との電圧差分値の演算、すなわちスイッチング素子の導通比の決定を行うため直流電圧が上昇し続けるという課題を有していた。
【０００８】
この課題に対処するため、直流電圧値がその目標値より予め決められた、しきい値以上に上昇した時、目標値になるまで一旦、スイッチング素子の動作を停止させるという制御が用いられる場合もあるが、図１３に示すように直流電圧値１６が目標値１８としきい値１９の間でハンチングするという課題が残る。なお、１７はローパスフィルタを通した後の正流電圧値を示す。
【０００９】
本発明はこのような従来の課題を解決するものであり、軽負荷時においても交流直流変換回路の直流電圧のハンチングを抑制できる電源装置を提供することを目的とする。
【００１０】
【課題を解決するための手段】
上記課題を解決するために本発明は、交流電源から直流電圧を得る少なくともスイッチング素子とリアクタとダイオードからなる交流直流変換回路と、交流電源の電流値を検出する電流検出手段と、交流電源の電圧値を検出する入力電圧検出手段と、前記交流直流変換回路が出力する直流電圧値を検出する直流電圧検出手段と、前記電流検出手段と前記入力電圧検出手段と前記直流電圧検出手段で得られる各値に基づき力率改善を行い且つ、直流電圧値を予め設定された目標値になるようにスイッチング素子の動作を制御するスイッチング動作制御手段を備え、スイッチング動作制御手段は直流電圧検出手段で得られる直流電圧値を平滑するローパスフィルタを有し、このローパスフィルタのカットオフ周波数を、前記電流検出手段と前記入力電圧検出手段と前記直流電圧検出手段で得られた値、或いはそれを基に演算された値などで認識できる負荷状態によって可変するものである。
【００１１】
これによって、軽負荷時における交流直流変換回路の直流電圧のハンチングを抑制しつつ、負荷の大きくなった時においても安定した力率改善ならびに昇圧動作が可能になる。
【００１２】
【発明の実施の形態】
本発明の請求項１に記載の発明は、交流電源から直流電圧を得る少なくともスイッチング素子とリアクタとダイオードからなる交流直流変換回路と、交流電源の電流値を検出する電流検出手段と、交流電源の電圧値を検出する入力電圧検出手段と、前記交流直流変換回路が出力する直流電圧値を検出する直流電圧検出手段と、前記電流検出手段と前記入力電圧検出手段と前記直流電圧検出手段で得られる各値に基づき力率改善を行い且つ、直流電圧値を予め設定された目標値になるように前記スイッチング素子の動作を制御するスイッチング動作制御手段を備え、スイッチング動作制御手段は前記直流電圧検出手段で得られる直流電圧値を平滑するローパスフィルタを有し、このローパスフィルタのカットオフ周波数を可変にしたものである。
【００１３】
また、請求項２に記載の発明は、請求項１記載に係る発明においてローパスフィルタのカットオフ周波数を、電流検出手段で得られる電流値対カットオフ周波数特性によって可変にしたものである。
【００１４】
また、請求項３に記載の発明は、請求項１記載に係る発明においてスイッチング動作制御手段は、ローパスフィルタにより平滑された直流電圧値と直流電圧の目標値との電圧差分値を演算する電圧比較手段を有し、前記ローパスフィルタのカットオフ周波数を、前記電圧比較手段で得られる電圧差分値対カットオフ周波数特性によって可変にしたものである。
【００１５】
また、請求項４に記載の発明は、請求項１記載に係る発明においてスイッチング動作制御手段はローパスフィルタにより平滑された直流電圧値と直流電圧の目標値との電圧差分値を演算する電圧比較手段と、この電圧比較手段で得られる電圧差分値に入力電圧検出手段で得られる電圧値を乗じて目標電流値を演算する目標電流演算手段とを有し、前記ローパスフィルタのカットオフ周波数を、前記目標電流演算手段で得られる目標電流値対カットオフ周波数特性によって可変にしたものである。
【００１６】
上記請求項１〜請求項４のいずれの発明においても、ローパスフィルタはそのカットオフ周波数を変化させ、或いは電流検出手段で得られる電流値対カットオフ周波数特性、或いは電圧比較手段で得られる電圧差分値対カットオフ周波数特性、或いは目標電流演算手段で得られる目標電流値対カットオフ周波数特性によってそのカットオフ周波を可変させ、交流直流変換回路の昇圧動作によって直流電圧値が目標とする値以上に跳ね上がることなく、安定した値で維持させる。
【００１７】
また、請求項５に記載の発明は、請求項１〜請求項４のいずれか１項の記載に係る発明においてスイッチング動作制御手段を、マイクロコンピュータで形成したものである。この構成によれば、カットオフ周波数の可変制御を含めた演算処理が容易に実現できる。
【００１８】
また、請求項６に記載の発明は、請求項１〜請求項４のいずれか１項の記載に係る発明において電源装置のスイッチング動作制御手段を、ＤＳＰを用いて形成したものである。この構成によれば、カットオフ周波数の可変制御を含めた演算処理が容易に実現できる。
【００１９】
【実施例】
以下本発明の実施例について図面を参照して説明する。
【００２０】
（実施例１）
本発明電源装置の実施例１の発明につき、図１〜図３に従い説明する。図１はその回路構成図、図２はロ−パスフィルタの電流検出手段で得られる電流値対カットオフ周波数の特性図、図３は軽負荷時における電気信号波形図である。
【００２１】
交流直流変換回路Ａは、交流電源１の出力をダイオードブリッジによる整流回路２で整流し、この整流回路２で得られる電圧をリアクタ３を介してスイッチング素子４によりスイッチングし、スイッチング素子４の両端電圧をダイオード５を介して平滑用コンデンサ６により平滑して負荷７に直流電圧を供給するものである。そして、この交流直流変換回路Ａには、交流電源１の電流値を検出する電流検出手段８と、交流電源１の電圧値を検出する入力電圧検出手段９と、交流直流変換回路Ａが出力する直流電圧値を検出する直流電圧検出手段１０が変換回路Ａ上の各所に配設されている。
【００２２】
また、スイッチングするスイッチング素子４の動作はスイッチング動作制御手段１１によって制御され、その制御の流れは次の通りである。まず、直流電圧検出手段１０で得られた直流電圧値はローパスフィルタ１１０ａによって平滑化された値となる。この値と目標電圧演算手段１１１で得られる直流電圧の目標値との電圧差分値が電圧比較手段１１２によって求められる。一方、目標電流演算手段１１３では、前記電圧差分値と入力電圧検出手段９で得られた電圧値を乗算することにより目標電流値を求めている。そして、目標電流演算手段１１３で演算された目標電流値と電流検出手段８で得られる電流値との差を電流比較手段１１４で求め、この差に応じてスイッチング素子４の導通比がＰＷＭデューティ演算手段１１５で決定され、前記導通比でスイッチング素子４がスイッチングされる。
【００２３】
特に、この実施例１の発明でローパスフィルタ１１０ａは、そのカットオフ周波数を可変としたものである。すなわち、ローパスフィルタ１１０ａは、カットオフ周波数を図２に示す電流検出手段８で得られる電流値によって可変とした時の電流値対カットオフ周波数の特性図のように構成してある。つまり、電流検出手段８が検出した電流値が１５０ｍＡ以上の時はカットオフ周波数を１Ｈｚに設定し、１００ｍＡ以下を検出した時は、カットオフ周波数を１ｋＨｚに設定し、かつ前記電流値が１００ｍＡ〜１５０ｍＡの間においてはカットオフ周波数を直線的に漸減するよう可変にしたもので、電流検出手段８で得られる電流値と負荷７の大きさは比例関係にあるため、結果として前記特性図は負荷７が大きい重負荷時にはローパスフィルタ１１０ａのカットオフ周波数を低く、負荷７が小さい軽負荷時にはローパスフィルタ１１０ａのカットオフ周波数を高く設定するというものである。
【００２４】
上記構成において、交流直流変換回路Ａの特性上、図１１に示すように直流電圧波形１４には交流電源１の電圧波形１３の２倍の周波数のリップルが発生する。このリップル成分は商用電源を用いた場合１００Ｈｚ或いは１２０Ｈｚであり、ローパスフィルタ１１０ａは前記電流値が１５０ｍＡ以上の時はカットオフ周波数が１Ｈｚなので、前記リップル成分を排除できる。
【００２５】
一方、負荷７が軽く電流値が１００ｍＡ以下と検出された時ローパスフィルタ１１０ａは、カットオフ周波数が１ｋＨｚであるが、軽負荷時において上記のリップルはほとんど現れないのでカットオフ周波数を１ｋＨｚに設定しても問題無い。
【００２６】
また、軽負荷時に従来技術では交流直流変換回路Ａの昇圧動作によって直流電圧値が目標とする値以上に跳ね上がった場合、図１３に示すように、ローパスフィルタ１１０のカットオフ周波数が低いと直流電圧値１６の跳ね上がりを認識できず、昇圧動作し続けるという不具合があった。
【００２７】
然るに実施例１ではローパスフィルタ１１０ａは、そのカットオフ周波数を１ｋＨｚに設定しているので、図３に示すように直流電圧値１２が跳ね上がりかけたとしても瞬時に電圧上昇を認識し、スイッチング動作制御手段１１での制御の流れから、最終的にはスイッチング素子４の導通比を減少させ電圧上昇を抑えることができる。
【００２８】
また、ローパスフィルタ１１０ａは、電流値が１００ｍＡ〜１５０ｍＡの間においてはカットオフ周波数を段階的ではなく直線的に漸減するよう可変にしたので、交流直流変換回路Ａの動作の安定性を保つことができる。
【００２９】
このように、実施例１の発明は軽負荷の状態で交流直流変換回路の昇圧動作によって直流電圧値が目標とする値以上に跳ね上がることなく、例えばセパレ−ト型エアコンの室外機に実施例１の電源装置を用いた場合、圧縮機の起動を安定した直流電圧値の元で行えるという効果を奏する。
【００３０】
なお、図２の特性図に示された設定値は、交流直流変換回路Ａに用いられる部品の特性や、装置全体の特性等によってチューニングするのが望ましい。
【００３１】
この実施例１によれば、軽負荷の状態で交流直流変換回路Ａの昇圧動作によって直流電圧値が目標とする値以上に跳ね上がることなく、安定した値で維持させることができ、且つ通常の力率改善ならびに昇圧動作との両立が可能となる。
【００３２】
（実施例２）
図４は実施例２の発明における回路構成を示すもので、ローパスフィルタの構成が実施例１と異なるだけなので、それ以外の同一構成および作用効果を奏する部分には同じ符号を付して詳細な説明を省略し、異なる部分を中心に説明する。
【００３３】
ローパスフィルタ１１０ｂは、そのカットオフ周波数を電圧比較手段１１２で得られる電圧差分値によって可変としたもので、その時の電圧差分値対カットオフ周波数の特性図を図５に示す。つまり、電圧比較手段１１２で演算した電圧差分値が５Ｖ以上の時はカットオフ周波数を１Ｈｚに設定し、１Ｖ以下を演算した時は、カットオフ周波数を１ｋＨｚに設定し、かつ前記電圧差分値が１Ｖ〜５Ｖの間においてはカットオフ周波数を直線的に漸減するよう可変にしたものである。
【００３４】
なお、実施例２における交流直流変換回路Ａについては、直流電圧検出手段１０で検出した直流電圧値を目標電圧演算手段１１１で得られる直流電圧の目標値に近づけるような制御を行うが、実際には負荷７が大きくなるにつれ、直流電圧値はその目標値から徐々に減少していくという特性を持つ。すなわち、直流電圧検出手段１０で検出した直流電圧値と目標電圧演算手段１１１で得られる直流電圧の目標値との電圧差分値と負荷７の大きさは比例関係にある。
【００３５】
すなわち、図５に示すような特性を持つローパスフィルタ１１０ｂは、そのカットオフ周波数を直線的に漸減するよう可変にすることにより実施例１と同様、軽負荷の状態で交流直流変換回路Ａの昇圧動作によって直流電圧値が目標とする値以上に跳ね上がることなく、安定した値で維持させることができ、且つ通常の力率改善ならびに昇圧動作との両立が可能となる。
【００３６】
（実施例３）
図６は実施例３の発明における回路構成を示すもので、ローパスフィルタの構成が実施例１と異なるだけなので、それ以外の同一構成および作用効果を奏する部分には同じ符号を付して詳細な説明を省略し、異なる部分を中心に説明する。
【００３７】
ローパスフィルタ１１０ｃは、そのカットオフ周波数を目標電流演算手段１１３で演算された目標電流値によって可変としたもので、その時の目標電流値対カットオフ周波数の特性図を図７に示す。つまり、目標電流演算手段１１３で演算した電流値が１５０ｍＡ以上の時はカットオフ周波数を１Ｈｚに設定し、１００ｍＡ以下を検出した時は、カットオフ周波数を１ｋＨｚに設定し、かつ前記電流値が１００ｍＡ〜１５０ｍＡの間においてはカットオフ周波数を直線的に漸減するよう可変にしたものである。そして、交流直流変換回路Ａについて目標電流演算手段１１３で演算された目標電流値と負荷７の大きさは比例関係にあるため、結果として前記特性図は負荷７が大きい重負荷時にはローパスフィルタ１１０ｃのカットオフ周波数を低く、負荷７が小さい軽負荷時にはローパスフィルタ１１０ｃのカットオフ周波数を高く設定するというものである。
【００３８】
上記構成において、図７に示すような特性図によってローパスフィルタ１１０ｃは、そのカットオフ周波数を直線的に漸減するよう可変にすることにより実施例１と同様、軽負荷の状態で交流直流変換回路Ａの昇圧動作によって直流電圧値が目標とする値以上に跳ね上がることなく、安定した値で維持させることができ、且つ通常の力率改善ならびに昇圧動作との両立が可能となる。
【００３９】
なお、実施例１〜実施例３については電流検出手段８や、入力電圧検出手段９や、直流電圧検出手段１０で得られる値、或いはその値を元に演算される値によって負荷状態を認識しているが、負荷がインバータ装置の場合はその制御指令値、モータの場合はその回転数など様々な値によってローパスフィルタ１１０ａ、１１０ｂ、１１０ｃのカットオフ周波数を変更しても同様の効果を得ることができる。
【００４０】
（実施例４）
実施例４の発明は、実施例１〜実施例３の発明におけるスイッチング動作制御手段１１での制御を全てマイクロコンピュータによって行うようにしたものである。実施例１におけるスイッチング動作制御手段１１の処理ステップ１〜ステップ１１（以下Ｓ１〜Ｓ１１という）に従いマイクロコンピュータのプログラムフローを図８に示す。
【００４１】
まず、Ｓ１で、交流直流変換回路Ａの直流電圧を直流電圧検出手段１０で得られ、Ｓ２でこの直流電圧値を電流検出手段８で検出した電流値によって可変とした時の図２に示す電流値対カットオフ周波数の特性をもつローパスフィルタ１１０ａによって平滑した直流電圧値とする。Ｓ３で目標電圧演算手段１１１により目標電圧値が得られ、Ｓ４で直流電圧値と目標電圧演算手段１１１で得られる直流電圧の目標値との電圧差分値が電圧比較手段１１２により求められる。Ｓ５で入力電圧検出手段９により入力電圧が得られ、Ｓ６で目標電流演算手段１１３により前記電圧差分値と入力電圧検出手段９で検出した入力電圧値を乗算することにより目標電流値を求める。そして、Ｓ７で電流検出手段８により電流値が得られ、Ｓ８で前記電流値によってローパスフィルタ１１０ａのカットオフ周波数が決まり、Ｓ９で目標電流演算手段１１３で演算された目標電流値と電流検出手段８で得られた電流値との差を電流比較手段１１４で求める。Ｓ１０で前記差に応じてスイッチング素子４の導通比がＰＷＭデューティ演算手段１１５で決定され、Ｓ１１で前記導通比のＰＷＭ信号がＰＷＭデューティ演算手段１１５よりスイッチング素子４に出力がされる。
【００４２】
このように、電流検出手段８で得られる電流値のＡ／Ｄ変換終了後、ローパスフィルタ１１０ａのカットオフ周波数を決めている。プログラムはルーチン処理されており、次回のローパスフィルタ１１０ａの演算でそのカットオフ周波数が活用される。
【００４３】
この実施例４においては、実施例１についての処理について説明しているが実施例２、実施例３についても同様の処理が可能である。
【００４４】
図９は直流電圧値ローパスフィルタ演算のシグナルフローを示すものである。直流電圧検出手段１０で得られた直流電圧値はＫ１なる係数と乗算された後、前回のローパスフィルタ１１０ａの演算結果にＫ２なる係数を乗算した値と加算されローパスフィルタ１１０ａの演算結果となる。係数Ｋ１とＫ２は、Ｋ１＋Ｋ２＝１の関係であり、この係数値によってカットオフ周波数が決まる。
【００４５】
この実施例４においては、係数Ｋ１とＫ２の値の変更によるカットオフ周波数の可変制御を含めた一連の演算処理をマイクロコンピュータのプログラムにて実現していることで、電子回路の組み合わせで構成した場合に比べ、極めて容易に直流電圧値の安定維持が可能となる。
【００４６】
（実施例５）
実施例５の発明は、実施例１〜実施例３の発明におけるスイッチング動作制御手段１１での制御をすべてＤＳＰによって行うものである。ＤＳＰのプログラムフローは実施例４で説明した図８の通りである。ＤＳＰはフィルタ演算処理を高速に行うことができるプロセッサで、積和演算処理を１マシンサイクルにて処理する能力がある。
【００４７】
この実施例５におけるプログラムフロー等制御内容については実施例４に記したものと同様であるが、カットオフ周波数の可変制御を含めた一連の演算処理を極めて簡素なプログラムにて実現することができる。
【００４８】
【発明の効果】
上記実施例から明らかなように、請求項１〜請求項４のいずれか１項に記載の発明は、交流電源から直流電圧を得る少なくともスイッチング素子とリアクタとダイオードからなる交流直流変換回路と、交流電源の電流値を検出する電流検出手段と、交流電源の電圧値を検出する入力電圧検出手段と、前記交流直流変換回路が出力する直流電圧値を検出する直流電圧検出手段と、前記電流検出手段と前記入力電圧検出手段と前記直流電圧検出手段で得られる各値に基づき力率改善を行い、且つ、直流電圧値を予め設定された目標値になるように前記スイッチング素子の動作を制御するスイッチング動作制御手段を備え、スイッチング動作制御手段には前記直流電圧検出手段で得られる直流電圧値を平滑するローパスフィルタが設けられ、このローパスフィルタのカットオフ周波数を可変にした電源装置であり、軽負荷時における交流直流変換回路の直流電圧のハンチングを抑制しつつ、負荷の大きくなった時においても安定した力率改善ならびに昇圧動作が可能になる。
【００４９】
また、請求項５に記載の発明は、スイッチング動作制御手段にマイクロコンピュータを用いたもので、カットオフ周波数の可変制御を含めた一連の演算処理を容易に且つ、安価に実現できる。
【００５０】
また、請求項６に記載の発明は、スイッチング動作制御手段にＤＳＰを用いたもので、カットオフ周波数の可変制御を含めた一連の演算処理を容易に且つ、安価に実現できるとともにプログラムの構成も簡素にできる。
【図面の簡単な説明】
【図１】本発明電源装置の実施例１、実施例４、実施例５を示す回路構成図
【図２】同実施例１のロ−パスフィルタの電流検出手段で得られる電流値対カットオフ周波数の特性図
【図３】同実施例１の軽負荷時における電気信号波形図
【図４】同実施例２を示す回路構成図
【図５】同実施例２のロ−パスフィルタの電圧比較手段で得られる電圧差分値対カットオフ周波数の特性図
【図６】同実施例３を示す回路構成図
【図７】同実施例３のロ−パスフィルタの目標電流演算手段で得られる目標電流値対カットオフ周波数の特性図
【図８】同実施例４、実施例５のプログラムフロー図
【図９】同実施例４、実施例５の直流電圧値ローパスフィルタ演算のシグナルフロー図
【図１０】同従来例の電源装置における回路構成図
【図１１】同従来例の回路構成の電気信号波形図
【図１２】同従来例のローパスフィルタの直流電圧値フィルタ特性図
【図１３】同従来例の回路構成の軽負荷時における電気信号波形図
【符号の説明】
２  整流回路
３  リアクタ
４  スイッチング素子
５    ダイオード
８    電流検出手段
９    入力電圧検出手段
１０    直流電圧検出手段
１１    スイッチング動作制御手段
１２    直流電圧値
１８    直流電圧目標値
１１０ａ，１１０ｂ，１１０ｃ    ローパスフィルタ
１１１    目標電圧演算手段
１１２    電圧比較手段
１１３    目標電流演算手段
【図１】
0003589086.tif 000002
【図２】
0003589086.tif 000003
【図３】
0003589086.tif 000004
【図４】
0003589086.tif 000005
【図５】
0003589086.tif 000006
【図６】
0003589086.tif 000007
【図７】
0003589086.tif 000008
【図８】
0003589086.tif 000009
【図９】
0003589086.tif 000010
【図１０】
0003589086.tif 000011
【図１１】
0003589086.tif 000012
【図１２】
0003589086.tif 000013
【図１３】
0003589086.tif 000014